(57)【要約】【課題】  本発明を適用したプラスチックシ−トによれば、そのコ−ナ−部に本来のプラスチックシ−トとは異なる色のラインを付けることができたものであり、これによって自他商品の識別力が生じ、混乱する作業現場でのシ−ト間違いは生じることがなくなったものであり、その実用的価値は極めて高い。【解決手段】  一定配列をもって多数の穴が形成され、これを囲むプラスチックシ−トを一軸又は二軸方向に延伸してなる地盤補強用プラスチックシ−トであって、前記プラスチックシ−トの延伸方向に向かって同質の色付き部材が一体化され、かつ同時に延伸され、表面に連続して色付き部を形成したことを特徴とする地盤補強用プラスチックシ−ト。１‥地盤補強用プラスチックシ−ト、３0 ‥白線、４0 ‥延伸後の矩形孔、４ａ‥延伸部、４ｂ‥非延伸部。【選択図】  図２
2005220537.tif 000002
【特許請求の範囲】
【請求項１】
一定配列をもって多数の穴が形成され、これを囲むプラスチックシ−トを一軸又は二軸方向に延伸してなる地盤補強用プラスチックシ−トであって、前記プラスチックシ−トの延伸方向に向かって同質の色付き部材が一体化され、かつ同時に延伸され、表面に連続して色付き部を形成したことを特徴とする地盤補強用プラスチックシ−ト。
【請求項２】
色付き部材は黒色以外である請求項１記載の地盤補強用プラスチックシ−ト。
【請求項３】
プラスチックシ−トはポリエチレンシ−トである請求項１記載の地盤補強用プラスチックシ−ト。
【請求項４】
色付き部材がポリエチレンである請求項１記載の地盤補強用プラスチックシ−ト。
【請求項５】
一定配列をもって多数の穴が形成されプラスチックシ−トに、延伸方向に向かって少なくとも一条の同質で色付きのプラスチックテ−プを当接して融着一体化し、次いで、当該シ−トを延伸することによって多数の穴を略長楕円形になし、かつシ−トを構成するプラスチックの結晶化度を高めて強度を付与し、その延伸方向に連続して色付き部を形成したことを特徴とする地盤補強用プラスチックシ−トの製法。
【請求項６】
一定配列をもって多数の穴が形成されプラスチックシ−トが押出成形によって成形され、余熱が１３０〜１１０℃である間に色付き部材が当接され、一体化される請求項５記載の地盤補強用プラスチックシ−トの製法。
【請求項７】
色付き部材は黒色以外である請求項５記載の地盤補強用プラスチックシ−トの製法。
【請求項８】
プラスチックシ−トはポリエチレンシ−トである請求項５記載の地盤補強用プラスチックシ−トの製法。
【請求項９】
色付き部材がポリエチレンテ−プである請求項５記載の地盤補強用プラスチックシ−トの製法。
【発明の詳細な説明】
【技術分野】
【０００１】
本発明は、盛土等の地盤内に埋設してなる延伸手段を施した地盤補強用プラスチックシ−トに関するものである。
【背景技術】
【０００２】
近年に至り、盛土による造成地や法面の補強、更には軟弱地盤の改良手段として深さ方向に一定の間隔をもって多数の穴を穿ったプラスチックシ−トを埋設する手段が広く行われている。
【０００３】
かかるシ−トとして、通常はポリエチレンシ−トが用いられ、一軸或いは二軸方向に延伸してポリエチレンの結晶化度を高めて強度をアップしたものが、地盤補強用プラスチックシ−トして用いられている（特許文献１、２）。
【０００４】
【特許文献１】特開２０００−１４４７０２号公報
【０００５】
【特許文献２】特開２０００−１５４５４４号公報
【０００６】
図３は従来の地盤補強用プラスチックシ−ト２０の概念図であり、延伸前のプラスチックシ−ト（ポリエチレンシ−ト）１０を押出成形にて長尺に成形し、その後多数の丸形又は矩形の孔１１を打ち抜き、これを例えば一軸延伸加工させたものであって、前記孔１１は延伸された一対の対向する辺２１ａと非延伸状態のこれ又対向する辺２１ｂとによって細長く引き伸ばされた孔形状２１となる。この延伸された辺２１ａは結晶化度が高められ引っ張り強度が飛躍的に大きくなる。そして、このプラスチックシ−ト２０を例えば盛土の深さ方向に一定の間隔をもって埋設され、盛土の崩れを防止することになる。
【０００７】
そして、このプラスチックシ−ト２０がロ−ル状に巻かれて作業現場に持ち込まれ、盛土の形状、広さ等を勘案して適当に切断され、埋設されることになる。この際、プラスチックシ−トの切断は手際よく行われなくてはならず、埋設する部位や順序を取り違えてはならない。更には、別のメ−カ−のプラスチックシ−トが同じ作業現場に搬入され、同様に埋設されることも多く、自他商品の識別は必ず行われる。又、万一クレ−ム等が発生した場合には、いずれのメ−カ−のものであるか俄かに判別しにくい状況下にある。
【０００８】
特に、地盤補強用プラスチックシ−トとしてポリエチレンシ−トが広く用いられているところ、シ−ト面への塗装が非常に乗りにくく、又、耐候性を付与することを目的にカ−ボンブラックを加えているため、概ね黒色である。このため、製品に自他商品の識別用としてプレス刻印するメ−カ−もあるが、極めて読みにくいという欠点があり、しかも刻印箇所がそのまま破断箇所となってしまうため、ジバン補強用プラスチックシ−トとしての強度の低下を招き、品質低下につながり兼ねないという欠点があった。
【発明の開示】
【発明が解決しようとする課題】
【０００９】
本発明は以上の背景下にあって地盤補強用プラスチックシ−トの判別を極めて容易にしたものであり、作業現場でのトラブルやシ−トにおけるクレ−ムに対する責任の所在がただちに分かる判別手段を提供するものである。
【課題を解決するための手段】
【００１０】
本発明の第１は、地盤補強用プラスチックシ−ト自体に関するものであり、一定配列をもって多数の穴が形成され、これを囲むプラスチックシ−トを一軸又は二軸方向に延伸してなるシ−トであって、前記プラスチックシ−トの延伸方向に向かって同質の色付き部材が一体化され、かつ同時に延伸され、表面に連続して色付き部を形成したことを特徴とするものである。
【００１１】
発明の第２は、地盤補強用プラスチックシ−トの製法に関するものであり、一定配列をもって多数の穴が形成されプラスチックシ−トに、延伸方向に向かって少なくとも一条の同質で色付きのプラスチックテ−プを当接して融着一体化し、次いで、当該シ−トを延伸することによって多数の穴を略長楕円形になし、かつシ−トを構成するプラスチックの結晶化度を高めて強度を付与し、その延伸方向に連続して色付き部を形成したことを特徴とするものである。
【発明の効果】
【００１２】
本発明によって得られた地盤補強用プラスチックシ−トは、自他識別用の連続色付き部を備えているために、極めて容易に識別可能となったもので、施工現場での混乱もなく、現場作業性を著しく改善したものである。
【発明を実施するための最良の形態】
【００１３】
本発明における地盤補強用プラスチックシ−トは、通常はポリエチレンシ−トであり、一軸方向（場合によっては二軸方向）に延伸されたものである。
【００１４】
そして、自他商品の識別手段として、延伸される前のプラスチックシ−トにその予定される延伸方向に向かって、このプラスチックシ−トと同質のプラスチック材よりなる色付きのテ−プを当接一体化させておくものであり、これによって延伸された地盤補強用プラスチックシ−トに連続して色付き部が形成されるものである。通常は補強効果を向上させるために、プラスチックシ−トにカ−ボンブラックを配合してあるためプラスチックシ−ト自体が黒色である。従って、色付きといっても通常は黒色は除かれるものである。
【００１５】
地盤補強用プラスチックシ−トの原材料は、通常はポリエチレンであり、勿論、このプラスチックシ−トとの相溶性を考慮して色付きテ−プもポリエチレンが好ましいものである。かかるテ−プはプラスチックシ−トと一体となって延伸されるため、テ−プ幅が５ｃｍ程度のものが好ましい。勿論、この幅は特定されるものではなく、又、テ−プは一条のみでなくてもよい。
【００１６】
第２発明におけるテ−プとプラスチックシ−トとの一体化はプラスチックシ−トの成形（押出）直後の表面温度が約１３０〜１１０℃において、色付きテ−プをプラスチックシ−ト長さ方向（延伸方向）に連続付着させるのがよい。プラスチックシ−トの表面温度によってテ−プは融着され冷却後も剥れにくくなる。同材質なので品質面も問題はない。
【００１７】
プラスチックシ−トは穴を一定間隔で開けた後、加熱延伸されて地盤補強用プラスチックシ−トになるが、付着したテ−プは延伸により引き伸ばされて多少色が落ちるが、十分識別可能である。
【００１８】
尚、テ−プが延伸されることを予想して、延伸後に文字・数字が読めるような形状を予め切り抜いたテ−プを付着させれば文字・数字による識別も可能となる。
【実施例】
【００１９】
以下、実施例をもって本発明を更に詳細に説明する。図１は本発明の地盤補強用プラスチックシ−ト１の製造工程図である。
【００２０】
第１工程は、厚さ２ｍｍのポリエチレン製のシ−ト２を押出成形にて成形したものである。成形直後の表面の温度は約１２０℃であった。補強剤としてカ−ボンブラックが配合されているためにシ−ト２の色は黒色である。
【００２１】
第２工程は、厚さ０．５ｍｍで幅５ｃｍのポリエチレンテ−プ３を上記シ−ト２のコ−ナ−にその押出方向（延伸方向）に付着したものである。このテ−プ３は白色に色付けされている。好ましくは図示しないロ−ル間を通して当接するもので、シ−ト２表面の温度によってテ−プ３が融着しほぼ一体化する。
【００２２】
第３工程では、このシ−ト２に１０ｍｍ×２０ｍｍの矩形の孔４を縦横に１０ｍｍ及び１５ｍｍの間隔に並べて穿孔した。
【００２３】
第４工程では、矩形孔４の長辺方向に延伸した。ここで得られたシ−トの孔４0 は延伸部４ａとこれに直角とされた非延伸部４ｂとから形成され、延伸部４ａの長さは１５０ｍｍであり、この部位は結晶化度が上昇し極めて強固な部位である。尚、非延伸部４ｂにはその後の加工によって突起等が形成されることになる。
【００２４】
第４工程を経て得られたシ−ト１の拡大図を図２に示すが、シ−ト２の延伸と共にテ−プ３も延伸するが、得られたシ−ト１のコ−ナ−部には白線（斜線部）３0 が表示されており、他のメ−カ−のシ−トとの区別は極めて簡単に行うことができた。
【産業上の利用可能性】
【００２５】
本発明を適用したプラスチックシ−トによれば、そのコ−ナ−部に本来のプラスチックシ−トとは異なる色のラインを付けることができたものであり、シ−トに刻印等を施す訳ではなく、破断の誘発は伴わずに、これによって自他商品の識別力が生じ、混乱する作業現場でのシ−ト間違いは生じることがなくなったものでその実用的価値は極めて高い。
【図面の簡単な説明】
【００２６】
【図１】図１は本発明の地盤補強用プラスチックシ−ト１の製造工程図である。
【図２】図２は得られた地盤補強用プラスチックシ−ト１の拡大図である。
【図３】図３は従来の地盤補強用プラスチックシ−トの概念図である。
【符号の説明】
【００２７】
１‥地盤補強用プラスチックシ−ト、
２‥ポリエチレン製シ−ト、
３‥ポリエチレンテ−プ、
３0 ‥白線、
４‥矩形孔、
４0 ‥延伸後の矩形孔、
４ａ‥延伸部、
４ｂ‥非延伸部。
【図１】
2005220537.tif 000003
【図２】
2005220537.tif 000004
【図３】
2005220537.tif 000005